【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
燃料電池が搭載され、該燃料電池によって発電された電力によって駆動される電子機器において、
前記燃料電池を有し、該燃料電池において生成された気体状の水を含む排気を排出する発電部と、
前記排気に含まれる気体状の水を含む気体を外部へ排出する排出部と、
前記排気に含まれる気体状の水を液体として回収する回収部と、
前記回収部により回収された水を貯留する貯留部と、
当該電子機器の使用状態に基づいて、前記排出部から外部へ排出される前記気体中の気体状の水の量を制御する手段を有する制御部と、
を備え、
前記回収部は、前記排気を冷却して、該排気に含まれる気体状の水を液体化する冷却手段を有し、
前記排出部は、前記排気から前記回収部において回収された気体状の水を除いた残りを外部へ排出する手段を含むことを特徴とする電子機器。
【請求項２】
前記電子機器は、更に、前記貯留部内の水の貯留量を検出する貯留量検出部を備え、
前記制御部は、前記貯留量検出部によって貯留量が満杯であることが検出された場合に、前記排気を前記排出部より外部へ排出するとともに、前記排気に含まれる気体状の水の前記回収部への回収を行わないように制御する手段を有することを特徴とする請求項１に記載の電子機器。
【請求項３】
前記電子機器は、更に、操作されることで入力信号を出力する入力部を備え、
前記制御部は、前記電子機器の使用状態として前記入力部が最後に操作されてから経過した時間に応じて、前記排出部から外部へ排出される前記気体中の気体状の水の量を制御する手段を有することを特徴とする請求項１に記載の電子機器。
【請求項４】
前記電子機器は、更に、前記排出部より気体を外部へ排出するための排出口と、前記排出口から該排出口の近傍にある障害物までの距離を当該電子機器の使用状態として検出する距離検出部と、を備え、
前記制御部は、前記距離検出部によって検出された前記障害物までの距離の値に応じて、前記排出部から外部へ排出される前記気体中の気体状の水の量を制御する手段を有することを特徴とする請求項１に記載の電子機器。
【請求項５】
前記電子機器は、更に、人体が接触したことを当該電子機器の使用状態として検出する接触検出部を備え、
前記制御部は、前記接触検出部により接触が検出された結果に応じて、前記排出部から外部へ排出される前記気体中の気体状の水の量を制御する手段を有することを特徴とする請求項１に記載の電子機器。
【請求項６】
前記電子機器は、更に、前記貯留部の水を蒸発させて水蒸気を生成する蒸発器を備え、前記排出部は前記蒸発器によって生成された水蒸気を外部に排出する手段を含むことを特徴とする請求項１乃至５のいずれかに記載の電子機器。
【請求項７】
前記蒸発器は、一端が閉塞され、他端が前記電子機器の外部に開口された排気管に囲われ、前記貯留部に接続して設けられた誘導部に接続され、多孔質材と該多孔質材を加熱する加熱手段を備え、
前記誘導部は、前記貯留部に接続された管材と、該管材内に充填された繊維材料及び多孔質材の何れかからなることを特徴とする請求項６に記載の電子機器。
【請求項８】
前記蒸発器は、前記貯留部に接続して設けられた誘導部に接続され、多孔質材が充填され、一端が前記電子機器の外部に開口された管材と、該管材を加熱する加熱手段とを備え、
前記誘導部は、前記貯留部に接続された管材と、該管材内に充填された繊維材料及び多孔質材の何れかからなることを特徴とする請求項６に記載の電子機器。
【請求項９】
前記電子機器は、更に、周囲の湿度を検出する湿度検出部を備えることを特徴とする請求項６に記載の電子機器。
【請求項１０】
前記制御部は、前記湿度検出部によって検出された湿度の値に応じて、前記蒸発器の動作を制御する手段を有することを特徴とする請求項９に記載の電子機器。
【請求項１１】
前記制御部は、前記湿度検出部によって検出された湿度の値が所定の閾値を越える値である場合に、前記蒸発器を動作させないように制御する手段を有することを特徴とする請求項１０に記載の電子機器。
【請求項１２】
前記制御部は、前記発電部における前記燃料電池が発電を行っており、前記湿度検出部によって検出された湿度の値が所定の閾値以下である場合に、前記燃料電池により発電された電力に基づいて前記蒸発器を動作させるように制御する手段を有することを特徴とする請求項９に記載の電子機器。
【請求項１３】
前記電子機器は、更に、外部から供給される交流電力を直流に変換して当該電子機器の各部に供給する直流変換部を備え、
前記制御部は、前記直流変換部に外部から交流電力が供給され、且つ、前記湿度検出部によって検出された湿度の値が所定の閾値以下である場合に、前記直流変換部から供給される電力に基づいて前記蒸発器を動作させるように制御する手段を有することを特徴とする請求項９に記載の電子機器。
【請求項１４】
前記電子機器は、更に、外部から供給される電力や前記燃料電池により発電される電力を蓄電して保持する電力保持部を備え、
前記制御部は、前記電力保持部に保持されている蓄電量が所定の閾値以上であって、且つ、前記湿度検出部によって検出された湿度の値が所定の閾値以下である場合に、前記電力保持部より供給される電力に基づいて前記蒸発器を動作させるように制御する手段を有することを特徴とする請求項９に記載の電子機器。
【請求項１５】
前記電子機器は、更に、操作されることで入力信号を出力する入力部を備え、
前記制御部は、前記入力部が最後に操作されてから経過した時間に応じて前記蒸発器の動作を制御する手段を有することを特徴とする請求項６に記載の電子機器。
【請求項１６】
前記電子機器は、更に、前記排出部より気体を外部へ排出するための排出口と、前記排出口から該排出口の近傍にある障害物までの距離を検出する距離検出部と、を備え、
前記制御部は、前記距離検出部によって検出された前記障害物までの距離の値に応じて前記蒸発器の動作を制御する手段を有することを特徴とする請求項６に記載の電子機器。
【請求項１７】
前記電子機器は、更に、人体が接触したことを検出する接触検出部を備え、
前記制御部は、前記接触検出部により検出された結果に応じて前記蒸発器の動作を制御する手段を有することを特徴とする請求項６に記載の電子機器。
【請求項１８】
前記電子機器は、前記貯留部内の水の貯留量を検出する貯留量検出部と、前記貯留部内の水を前記燃料電池の動作用の水として供給する手段と、を備え、
前記排出部は、前記排気を、前記回収部を経ずに外部へ排出する第１の排出部と、前記回収部を経て、前記排気から該回収部において回収された気体状の水を除いた残りを外部へ排出する第２の排出部と、を備え、
前記制御部は、前記貯留量検出部によって検出された貯留量が予め設定された所定量以下である場合に、前記第１の排出部における前記排気の外部への排出を行わないように制御する手段を有することを特徴とする請求項１に記載の電子機器。
【請求項１９】
前記所定量は、前記発電部における前記燃料電池の起動に必要な水の量であることを特徴とする請求項１８に記載の電子機器。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
以上の課題を解決するために、請求項２に係る発明は、燃料電池が搭載され、該燃料電池によって発電された電力によって駆動される電子機器において、前記燃料電池を有し、該燃料電池において生成された気体状の水を含む排気を排出する発電部と、前記排気に含まれる気体状の水を含む気体を外部へ排出する排出部と、前記排気に含まれる気体状の水を液体として回収する回収部と、前記回収部により回収された水を貯留する貯留部と、当該電子機器の使用状態に基づいて、前記排出部から外部へ排出される前記気体中の気体状の水の量を制御する手段を有する制御部と、を備え、前記回収部は、前記排気を冷却して、該排気に含まれる気体状の水を液体化する冷却手段を有し、前記排出部は、前記排気から前記回収部において回収された気体状の水を除いた残りを外部へ排出する手段を含むことを特徴とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
請求項２に係る発明は、請求項１に記載の電子機器において、前記電子機器は、更に、前記貯留部内の水の貯留量を検出する貯留量検出部を備え、前記制御部は、前記貯留量検出部によって貯留量が満杯であることが検出された場合に、前記排気を前記排出部より外部へ排出するとともに、前記排気に含まれる気体状の水の前記回収部への回収を行わないように制御する手段を有することを特徴とする。
【手続補正１０】
【補正対象書類名】明細書
【補正対象項目名】００１２
【補正方法】変更
【補正の内容】
【００１２】
請求項３に係る発明は、請求項１に記載の電子機器において、前記電子機器は、更に、操作されることで入力信号を出力する入力部を備え、前記制御部は、前記電子機器の使用状態として前記入力部が最後に操作されてから経過した時間に応じて、前記排出部から外部へ排出される前記気体中の気体状の水の量を制御する手段を有することを特徴とする。
【手続補正１１】
【補正対象書類名】明細書
【補正対象項目名】００１３
【補正方法】変更
【補正の内容】
【００１３】
請求項４に係る発明は、請求項１に記載の電子機器において、前記電子機器は、更に、前記排出部より気体を外部へ排出するための排出口と、前記排出口から該排出口の近傍にある障害物までの距離を当該電子機器の使用状態として検出する距離検出部と、を備え、前記制御部は、前記距離検出部によって検出された前記障害物までの距離の値に応じて、前記排出部から外部へ排出される前記気体中の気体状の水の量を制御する手段を有することを特徴とする。
【手続補正１２】
【補正対象書類名】明細書
【補正対象項目名】００１４
【補正方法】変更
【補正の内容】
【００１４】
請求項５に係る発明は、請求項１に記載の電子機器において、前前記電子機器は、更に、人体が接触したことを当該電子機器の使用状態として検出する接触検出部を備え、前記制御部は、前記接触検出部により接触が検出された結果に応じて、前記排出部から外部へ排出される前記気体中の気体状の水の量を制御する手段を有することを特徴とする。
【手続補正１３】
【補正対象書類名】明細書
【補正対象項目名】００１５
【補正方法】変更
【補正の内容】
【００１５】
請求項６に係る発明は、請求項１乃至５のいずれかに記載の電子機器において、前記電子機器は、更に、前記貯留部の水を蒸発させて水蒸気を生成する蒸発器を備え、前記排出部は前記蒸発器によって生成された水蒸気を外部に排出する手段を含むことを特徴とする。
【手続補正１４】
【補正対象書類名】明細書
【補正対象項目名】００１６
【補正方法】変更
【補正の内容】
【００１６】
請求項７に係る発明は、請求項６に記載の電子機器において、前記蒸発器は、一端が閉塞され、他端が前記電子機器の外部に開口された排気管に囲われ、前記貯留部に接続して設けられた誘導部に接続され、多孔質材と該多孔質材を加熱する加熱手段を備え、前記誘導部は、前記貯留部に接続された管材と、該管材内に充填された繊維材料及び多孔質材の何れかからなることを特徴とする。
【手続補正１５】
【補正対象書類名】明細書
【補正対象項目名】００１７
【補正方法】変更
【補正の内容】
【００１７】
請求項８に係る発明は、請求項６に記載の電子機器において、前記蒸発器は、前記貯留部に接続して設けられた誘導部に接続され、多孔質材が充填され、一端が前記電子機器の外部に開口された管材と、該管材を加熱する加熱手段とを備え、前記誘導部は、前記貯留部に接続された管材と、該管材内に充填された繊維材料及び多孔質材の何れかからなることを特徴とする。
【手続補正１６】
【補正対象書類名】明細書
【補正対象項目名】００１８
【補正方法】変更
【補正の内容】
【００１８】
請求項９に係る発明は、請求項６に記載の電子機器において、前記電子機器は、更に、周囲の湿度を検出する湿度検出部を備えることを特徴とする。
【手続補正１７】
【補正対象書類名】明細書
【補正対象項目名】００１９
【補正方法】変更
【補正の内容】
【００１９】
請求項１０に係る発明は、請求項９に記載の電子機器において、前記制御部は、前記湿度検出部によって検出された湿度の値に応じて、前記蒸発器の動作を制御する手段を有することを特徴とする。
【手続補正１８】
【補正対象書類名】明細書
【補正対象項目名】００２０
【補正方法】変更
【補正の内容】
【００２０】
請求項１１に係る発明は、請求項１０に記載の電子機器において、前記制御部は、前記湿度検出部によって検出された湿度の値が所定の閾値を越える値である場合に、前記蒸発器を動作させないように制御する手段を有することを特徴とする。
【手続補正１９】
【補正対象書類名】明細書
【補正対象項目名】００２１
【補正方法】変更
【補正の内容】
【００２１】
請求項１２に係る発明は、請求項９に記載の電子機器において、前記制御部は、前記発電部における前記燃料電池が発電を行っており、前記湿度検出部によって検出された湿度の値が所定の閾値以下である場合に、前記燃料電池により発電された電力に基づいて前記蒸発器を動作させるように制御する手段を有することを特徴とする。
【手続補正２０】
【補正対象書類名】明細書
【補正対象項目名】００２２
【補正方法】変更
【補正の内容】
【００２２】
請求項１３に係る発明は、請求項９に記載の電子機器において、前記電子機器は、更に、外部から供給される交流電力を直流に変換して当該電子機器の各部に供給する直流変換部を備え、前記制御部は、前記直流変換部に外部から交流電力が供給され、且つ、前記湿度検出部によって検出された湿度の値が所定の閾値以下である場合に、前記直流変換部から供給される電力に基づいて前記蒸発器を動作させるように制御する手段を有することを特徴とする。
【手続補正２１】
【補正対象書類名】明細書
【補正対象項目名】００２３
【補正方法】変更
【補正の内容】
【００２３】
請求項１４に係る発明は、請求項９に記載の電子機器において、前記電子機器は、更に、外部から供給される電力や前記燃料電池により発電される電力を蓄電して保持する電力保持部を備え、前記制御部は、前記電力保持部に保持されている蓄電量が所定の閾値以上であって、且つ、前記湿度検出部によって検出された湿度の値が所定の閾値以下である場合に、前記電力保持部より供給される電力に基づいて前記蒸発器を動作させるように制御する手段を有することを特徴とする。
【手続補正２２】
【補正対象書類名】明細書
【補正対象項目名】００２４
【補正方法】変更
【補正の内容】
【００２４】
請求項１５に係る発明は、請求項６に記載の電子機器において、前記電子機器は、更に、操作されることで入力信号を出力する入力部を備え、前記制御部は、前記入力部が最後に操作されてから経過した時間に応じて前記蒸発器の動作を制御する手段を有することを特徴とする。
【手続補正２３】
【補正対象書類名】明細書
【補正対象項目名】００２５
【補正方法】変更
【補正の内容】
【００２５】
請求項１６に係る発明は、請求項６に記載の電子機器において、前記電子機器は、更に、前記排出部より気体を外部へ排出するための排出口と、前記排出口から該排出口の近傍にある障害物までの距離を検出する距離検出部と、を備え、前記制御部は、前記距離検出部によって検出された前記障害物までの距離の値に応じて前記蒸発器の動作を制御する手段を有することを特徴とする。
【手続補正２４】
【補正対象書類名】明細書
【補正対象項目名】００２６
【補正方法】変更
【補正の内容】
【００２６】
請求項１７に係る発明は、請求項６に記載の電子機器において、前記電子機器は、更に、人体が接触したことを検出する接触検出部を備え、前記制御部は、前記接触検出部により検出された結果に応じて前記蒸発器の動作を制御する手段を有することを特徴とする。
【手続補正２５】
【補正対象書類名】明細書
【補正対象項目名】００２７
【補正方法】変更
【補正の内容】
【００２７】
請求項１８に係る発明は、請求項１に記載の電子機器において、前記電子機器は、前記貯留部内の水の貯留量を検出する貯留量検出部と、前記貯留部内の水を前記燃料電池の動作用の水として供給する手段と、を備え、前記排出部は、前記排気を、前記回収部を経ずに外部へ排出する第１の排出部と、前記回収部を経て、前記排気から該回収部において回収された気体状の水を除いた残りを外部へ排出する第２の排出部と、を備え、前記制御部は、前記貯留量検出部によって検出された貯留量が予め設定された所定量以下である場合に、前記第１の排出部における前記排気の外部への排出を行わないように制御する手段を有することを特徴とする。
【手続補正２６】
【補正対象書類名】明細書
【補正対象項目名】００２８
【補正方法】変更
【補正の内容】
【００２８】
請求項１９に係る発明は、請求項１８に記載の電子機器において、前記所定量は、前記発電部における前記燃料電池の起動に必要な水の量であることを特徴とする。